(57)【特許請求の範囲】
【請求項１】
回転ドラム式衣類乾燥機の回転ドラムの後面と衣類投入口部に載置し、上部棚部および下部棚部の一端同志間を側方支持部を介して回転自在にかつ略平行に位置するように連結し、前記側方支持部を回転させることにより前記側方支持部の高さ方向の寸法を可変することで前記上部棚部、下部棚部間の間隔を可変可能とし、下部軸心を前記側方支持部にスライド自在に連結し上部軸心を前記上部棚部に回転自在に連結した保持部を備え、前記保持部は、前記下部軸心が前記側方支持部と下部棚部との軸心と異なる位置にあるとき前記上部棚部を保持し、前記下部軸心が前記側方支持部と下部棚部との軸心と同一軸心上にあるとき前記上部棚部および側方支持部を前記下部棚部と重なり合うようにした衣類乾燥具。
【請求項２】
上部棚部と下部棚部との間に間隔を隔てた状態で保持部を堅持する堅持部を前記下部棚部より上方に突出させて形成し、前記堅持部と側方支持部との間で前記保持部の下部軸心をスライド自在とした請求項１記載の衣類乾燥具。
【請求項３】
上部棚部および下部棚部は、前記上部棚部と下部棚部との間に間隔を隔てた状態で、略円形状または略多角形状になるよう形成した請求項１または２に記載の衣類乾燥具。
【発明の詳細な説明】
【０００１】
【発明の属する技術分野】
本発明は、回転ドラム式衣類乾燥機の回転ドラム内に取付けて使用する衣類乾燥具に関するものである。
【０００２】
【従来の技術】
従来、この種の衣類乾燥具は、図１３〜図１５に示すように、回転ドラム式衣類乾燥機に取付ける構成としていた。以下、その構成について説明する。
【０００３】
図１３に示すように、外枠１は、内部に回転ドラム２を回転自在に設け、モータ３により回転駆動されるファン４と熱源となるヒータ５とにより熱風を供給するように構成している。回転ドラム２の後面にフィルターカバー６を取り付け、前面に衣類を回転ドラム２
内に投入する投入口部７を設けている。
【０００４】
乾燥具８は、ウールのセータやスラックスなど、回転ドラム２内に投入し、回転撹拌したとき収縮が大きくなる衣類や型くずれのしやすい衣類または回転ドラム２内を傷付ける靴などを載置して乾燥させるもので、図１４（ａ）に示すように、取付部８ａを有し、図１４（ｂ）に示すような衣類９を載置し、回転ドラム２内のフィルターカバー６に設けた穴６ａに乾燥具８の取付部８ａを挿入し、図１５に示すように、乾燥具８の前端８ｂを投入口部７に周接させることにより回転ドラム２内に固定している。
【０００５】
上記構成において動作を説明する。通常は、回転ドラム２内に衣類を投入して、モータ３を回転駆動すると、回転ドラム２、ファン４が回転する。ファン４が回転すると循環風Ａが発生し、この循環風Ａはヒータ５により加熱されて回転ドラム２内に導入され、回転ドラム２内に投入した衣類を乾燥させる。
【０００６】
回転撹拌により収縮が大きくなるウールのセータや型くずれのしやすいスラックスまたは回転ドラム２内を傷付ける靴などを乾燥させるときは、回転ドラム２内に乾燥具８を固定し、図１４（ｂ）に示すように、衣類９を折りたたんで乾燥具８上に載置し、乾燥させる。
【０００７】
【発明が解決しようとする課題】
このような従来の乾燥具９では、図１４（ｂ）に示すように、衣類１０を折りたたんで乾燥させることになり、回転ドラム２の循環風Ａが衣類９にまんべんなく当たらず、乾燥むらが生じたり、折りたたみしわが生じるという問題があった。
【０００８】
本発明は上記課題を解決するもので、回転撹拌により傷み易い衣類を乾燥むらやしわなく乾燥し、かつ使用しないときには、収納場所に困らないようにコンパクトに折りたためるようにし、収納性を向上することを目的としている。
【０００９】
【課題を解決するための手段】
本発明は上記目的を達成するために、回転ドラム式衣類乾燥機の回転ドラムの後面と衣類投入口部に載置し、上部棚部および下部棚部の一端同志間を側方支持部を介して回転自在にかつ略平行に位置するように連結し、前記側方支持部を回転させることにより前記側方支持部の高さ方向の寸法を可変することで前記上部棚部、下部棚部間の間隔を可変可能とし、下部軸心を前記側方支持部にスライド自在に連結し上部軸心を前記上部棚部に回転自在に連結した保持部を備え、前記保持部は、前記下部軸心が前記側方支持部と下部棚部との軸心と異なる位置にあるとき前記上部棚部を保持し、前記下部軸心が前記側方支持部と下部棚部との軸心と同一軸心上にあるとき前記上部棚部および側方支持部を前記下部棚部と重なり合うようにしたものである。
【００１０】
これにより、上部棚部と下部棚部との間に間隔を隔てた状態で、上部棚部を下部棚部に対して離間させる方向に回転させると、保持部は側方支持部に対し上方にスライド移動し、保持部の下部軸心が側方支持部と下部棚部との軸心と同一軸心上になり、上部棚部、側方支持部および保持部を略平面状にでき、使用しないときには、上部棚部と下部棚部の両端間の間隔を可変することにより下部棚部と重なり合わせて折りたたむことができるので、収納場所に困らないようにコンパクトに収納性を向上することができる。
【００１１】
また、上部棚部、側方支持部および保持部を略平面状にして下部棚部と重なり合わせた状態で、上部棚部を下部棚部に対し離間させる方向に回転させた後、上部棚部を側方支持部に対して回転させると、保持部が側方支持部に対し下方にスライド移動し、保持部の下部軸心が側方支持部と下部棚部との軸心と異なる位置になり、上部棚部を保持することができて、上部棚部を下部棚部に対して間隔を隔てた状態で保持することができる。
【００１２】
さらに、回転撹拌により傷み易い衣類を、上部棚部と下部棚部とが間隔を隔てた状態において上部棚部と下部棚部に巻き付けるようにセットでき、熱風が衣類にまんべんなく当たり、乾燥むらやしわがない状態で乾燥することができる。
【００１３】
【発明の実施の形態】
本発明の請求項１に記載の発明は、回転ドラム式衣類乾燥機の回転ドラムの後面と衣類投入口部に載置し、上部棚部および下部棚部の一端同志間を側方支持部を介して回転自在にかつ略平行に位置するように連結し、前記側方支持部を回転させることにより前記側方支持部の高さ方向の寸法を可変することで前記上部棚部、下部棚部間の間隔を可変可能とし、下部軸心を前記側方支持部にスライド自在に連結し上部軸心を前記上部棚部に回転自在に連結した保持部を備え、前記保持部は、前記下部軸心が前記側方支持部と下部棚部との軸心と異なる位置にあるとき前記上部棚部を保持し、前記下部軸心が前記側方支持部と下部棚部との軸心と同一軸心上にあるとき前記上部棚部および側方支持部を前記下部棚部と重なり合うようにしたことで、上部棚部と下部棚部との間に間隔を隔てた状態で、上部棚部を下部棚部に対して離間させる方向に回転させると、保持部は側方支持部に対し上方にスライド移動し、保持部の下部軸心が側方支持部と下部棚部との軸心と同一軸心上になり、上部棚部、側方支持部および保持部を略平面状にでき、使用しないときには、上部棚部と下部棚部の両端間の間隔を可変することにより下部棚部と重なり合わせて折りたたむことができるので、収納場所に困らないようにコンパクトに収納性を向上することができる。
【００１４】
また、上部棚部、側方支持部および保持部を略平面状にして下部棚部と重なり合わせた状態で、上部棚部を下部棚部に対し離間させる方向に回転させた後、上部棚部を側方支持部に対して回転させると、保持部が側方支持部に対し下方にスライド移動し、保持部の下部軸心が側方支持部と下部棚部との軸心と異なる位置になり、上部棚部を保持することができて、上部棚部を下部棚部に対して間隔を隔てた状態で保持することができる。
【００１５】
さらに、回転撹拌により傷み易い衣類を、上部棚部と下部棚部とが間隔を隔てた状態において上部棚部と下部棚部に巻き付けるようにセットでき、熱風が衣類にまんべんなく当たり、乾燥むらやしわがない状態で乾燥することができる。
【００１６】
請求項２に記載の発明は、上記請求項１に記載の発明において、上部棚部と下部棚部との間に間隔を隔てた状態で保持部を堅持する堅持部を前記下部棚部より上方に突出させて形成し、前記堅持部と側方支持部との間で前記保持部の下部軸心をスライド自在としたものであり、上部棚部を下部棚部に対して間隔を隔てた状態で保持するとき、堅持部により保持部を堅持することができて、上部棚部を安定して保持することができ、保持部の下部軸心を堅持部と側方支持部との間でスライド自在とすることにより、保持部の下部軸心を移動させる動作を円滑にすることができ、上部棚部を下部棚部に対して間隔を隔てた使用状態から収納状態への移動、または収納状態から使用状態への移動を円滑にできる。
【００１７】
請求項３に記載の発明は、上記請求項１または２に記載の発明において、上部棚部および下部棚部は、前記上部棚部と下部棚部との間に間隔を隔てた状態で、略円形状または略多角形状になるよう形成したものであり、回転撹拌により傷み易い衣類を上部棚部と下部棚部に巻き付けるようにセットして乾燥するとき、熱風が衣類によりまんべんなく当たり、乾燥むらやしわがない状態で乾燥することができる。
【００１８】
【実施例】
以下、本発明の実施例について、図面を参照しながら説明する。なお、従来例と同じ構成のものは同一符号を付して説明を省略する。
【００１９】
（実施例１）
図１および図２に示すように、衣類乾燥具１０は、上部棚部１１と下部棚部１２と側方支持部１３とで構成しており、側方支持部１３は、側方支持部１３の下部軸心１３ａにより下部棚部１２に対して矢印ｂ方向に回転自在とし、上部棚部１１は、側方支持部１３の上部軸心１３ｂにより側方支持部１３に対してｃ方向に回転自在として、上部棚部１１と下部棚部１２とを略平行になるように連結している。
【００２０】
ここで、側方支持部１３の下部軸心１３ａと下部棚部１２との連結状態は、図３に示すように、側方支持部１３の先端を略直角に折り曲げて下部軸心１３ａを形成し、下部棚部１２の先端に形成した軸支部１２ａを回転自在に支持している。側方支持部１３の上部軸心１３ｂと上部棚部１１との連結状態も同じである。
【００２１】
第１の止め具１４は下部棚部１２に取り付け、下部棚部１２と側方支持部１３との間を略直角に支持し、第２の止め具１５は側方支持部１３に取り付け、上部棚部１１と側方支持部１３との間を略直角に支持するものであり、これら第１の止め具１４と第２の止め具１５とで上部棚部１１と下部棚部１２が平行になるよう規制している。
【００２２】
ここで、第１の止め具１４と第２の止め具１５を外すと、側方支持部１３は矢印ｂ方向に回転し、高さ寸法が可変となり、上部棚部１１と下部棚部１２との間の間隔を可変可能とし、図４に示すように平面形状となるよう構成している。
【００２３】
上記構成において作用を説明する。回転撹拌により傷み易い衣類を乾燥するときは、図２に示すように、上部棚部１１と下部棚部１２との間に間隔を隔てた使用状態とし、傷み易い衣類を上部棚部１１と下部棚部１２に巻き付けるようにセットして、図１に示すように、回転ドラム２内に固定する。
【００２４】
この状態で、モータ３を回転駆動すると、回転ドラム２、ファン４が回転する。ファン４が回転すると循環風Ａが発生し、この循環風Ａはヒータ５により加熱されて回転ドラム２内に導入される。このとき、熱風は上部棚部１１と下部棚部１２にセットした衣類にまんべんなく当たり、乾燥むらやしわがない状態で乾燥することができる。
【００２５】
また、使用しないときには、第１の止め具１４と第２の止め具１５を外すと、図４に示すように、上部棚部１１、下部棚部１２および側方支持部１３を平面形状となるように、コンパクトに折りたたむことができ、容易に収納できて収納性を向上することができる。
【００２６】
また、本実施例では、上部棚部１１と下部棚部１２は平面状としているが、上部棚部１１と下部棚部１２との間に間隔を隔てた使用状態で、略円形状または略多角形状になるよう形成してもよく、この場合は、熱風を上部棚部１１と下部棚部１２にセットした衣類にまんべんなく当てることができ、一層、乾燥むらやしわがない状態で乾燥することができる。
【００２７】
（実施例２）
図５および図６に示すように、衣類乾燥具１６は、上部棚部１７と下部棚部１８と側方支持部１９とで構成しており、側方支持部１９は、側方支持部１９の下部軸心１９ａにより下部棚部１８に対して回転自在とし、上部棚部１７は、側方支持部１９の上部軸心１９ｂにより側方支持部１９に対して回転自在として、上部棚部１７と下部棚部１８とを略平行になるように連結している。
【００２８】
ここで、上部棚部１７および下部棚部１８は、上部棚部１７と下部棚部１８との間に間隔を隔てた使用状態で、略円形状または略多角形状になるよう形成している。
【００２９】
保持部２０は、下部軸心２０ａを側方支持部１９にスライド自在に連結し、上部軸心２０ｂを上部棚部１７を回転自在に連結している。保持部２０は、図５に示すように、下部軸心２０ａが側方支持部１９の下部軸心１９ａと異なる位置にあるとき、保持片２０ｃにより上部棚部１７を保持するように構成している。
【００３０】
また、図６に示すように、上部棚部１７、側方支持部１９および保持部２０を略平面状にして、保持部２０の下部軸心２０ａが側方支持部１９の下部軸心１９ａと同一軸心上にあるとき、上部棚部１７、側方支持部１９および保持部２０を一体に回転可能とし、図７に示すように、下部棚部１８と重なり合わせて平面状に折りたためるように構成している。
【００３１】
堅持部２１は、上部棚部１７と下部棚部１８との間に間隔を隔てた状態で、保持部２０を堅持するもので、下部棚部１８より上方に突出させて形成している。この堅持部２１は、保持部２０を支持する支持部２１ａと支持部２１ａと下部棚部１８とを連結する連結部２１ｂとを有し、連結部２１ｂと側方支持部１９との間で保持部２０の下部軸心２０ａをスライド自在に支持している。
【００３２】
上記構成において作用を説明する。回転撹拌により傷み易い衣類を乾燥するときは、図８に示すように、上部棚部１７と下部棚部１８との間に間隔を隔てた使用状態とし、傷み易い衣類を上部棚部１７と下部棚部１８に巻き付けるようにセットして、図９に示すように、回転ドラム２内に固定する。
【００３３】
この状態で、モータ３を回転駆動すると、回転ドラム２、ファン４が回転する。ファン４が回転すると循環風Ａが発生し、この循環風Ａはヒータ５により加熱されて回転ドラム２内に導入される。このとき、上部棚部１７および下部棚部１８は、上部棚部１７と下部棚部１８との間に間隔を隔てた状態で、略円形状または略多角形状になるよう形成しているので、熱風は上部棚部１７と下部棚部１８にセットした衣類にまんべんなく当たり、乾燥むらやしわがない状態で乾燥することができる。
【００３４】
つぎに、衣類乾燥具１６を上部棚部１７と下部棚部１８との間に間隔を隔てた使用状態から、上部棚部１７、側方支持部１９および保持部２０を略平面状にして下部棚部１８と重なり合わせた収納状態にするときの動作について図１０〜図１２を参照しながら説明する。
【００３５】
上部棚部１８を、図１０に示す状態から、下部棚部１８に対して離間させる方向に回転させると、保持部２０の下部軸心２０ａが側方支持部１９に対し上方にスライド移動し、上部棚部１８が図１１の一点鎖線で示す状態になると、保持部２０の下部軸心２０ａが側方支持部１９の下部軸心１９ａと同一軸心上になり、上部棚部１７、側方支持部１９および保持部２０を略平面状にできる。
【００３６】
この状態で、図１２に示すように、上部棚部１７、側方支持部１９および保持部２０を一体として、下部棚部１８と重なり合わせて平面状に折りたたむことができ、収納性を向上することができる。
【００３７】
つぎに、上部棚部１７、側方支持部１９および保持部２０を略平面状にして下部棚部１８と重なり合わせた収納状態から、上部棚部１７と下部棚部１８との間に間隔を隔てた使用状態にするときの動作について説明する。
【００３８】
図１２に示すように、上部棚部１７、側方支持部１９および保持部２０を略平面状にして下部棚部１８と重なり合わせた状態で、図１１に示すように、上部棚部１７を下部棚部１８に対し離間させる方向に回転させた後、上部棚部１７を側方支持部１９に対して回転させると、保持部２０の下部軸心２０ａが側方支持部１９に対し下方にスライド移動し、図１０に示すように、保持部２０の下部軸心２０ａが側方支持部の下部軸心１９ａと異なる位置になり、上部棚部１８を保持することができる。このとき、保持部２０は堅持部２１により堅持され、上部棚部１７を下部棚部１８に対して間隔を隔てた状態で安定して保持することができる。
【００３９】
また、保持部２０の下部軸心２０ａを堅持部２１と側方支持部１９との間でスライド自在とすることにより、保持部２０の下部軸心２０ａを移動させる動作を円滑にすることができ、上部棚部１７を下部棚部１８に対して間隔を隔てた使用状態から収納状態への移動、または収納状態から使用状態への移動を円滑にできる。
【００４０】
【発明の効果】
以上のように本発明の請求項１に記載の発明によれば、回転ドラム式衣類乾燥機の回転ドラムの後面と衣類投入口部に載置し、上部棚部および下部棚部の一端同志間を側方支持部を介して回転自在にかつ略平行に位置するように連結し、前記側方支持部を回転させることにより前記側方支持部の高さ方向の寸法を可変することで前記上部棚部、下部棚部間の間隔を可変可能とし、下部軸心を前記側方支持部にスライド自在に連結し上部軸心を前記上部棚部に回転自在に連結した保持部を備え、前記保持部は、前記下部軸心が前記側方支持部と下部棚部との軸心と異なる位置にあるとき前記上部棚部を保持し、前記下部軸心が前記側方支持部と下部棚部との軸心と同一軸心上にあるとき前記上部棚部および側方支持部を前記下部棚部と重なり合うようにしたことで、上部棚部と下部棚部との間に間隔を隔てた状態で、上部棚部を下部棚部に対して離間させる方向に回転させると、保持部は側方支持部に対し上方にスライド移動し、保持部の下部軸心が側方支持部と下部棚部との軸心と同一軸心上になり、上部棚部、側方支持部および保持部を略平面状にでき、使用しないときには、上部棚部と下部棚部の両端間の間隔を可変することにより下部棚部と重なり合わせて折りたたむことができるので、収納場所に困らないようにコンパクトに収納性を向上することができる。
【００４１】
また、上部棚部、側方支持部および保持部を略平面状にして下部棚部と重なり合わせた状態で、上部棚部を下部棚部に対し離間させる方向に回転させた後、上部棚部を側方支持部に対して回転させると、保持部が側方支持部に対し下方にスライド移動し、保持部の下部軸心が側方支持部と下部棚部との軸心と異なる位置になり、上部棚部を保持することができて、上部棚部を下部棚部に対して間隔を隔てた状態で保持することができる。
【００４２】
さらに、回転撹拌により傷み易い衣類を、上部棚部と下部棚部とが間隔を隔てた状態において上部棚部と下部棚部に巻き付けるようにセットでき、熱風が衣類にまんべんなく当たり、乾燥むらやしわがない状態で乾燥することができる。
【００４３】
また、解り易い一定動作で組立、折りたたみをすることができ、使用勝手を向上することができるとともに、スライド移動、回転の２動作を経て上部棚部と下部棚部が平行度を保つことができ、セットしたときの堅牢に平行度を維持でき、乾燥衣類の安定化を図ることができる。
【００４４】
また、請求項２に記載の発明によれば、上部棚部と下部棚部との間に間隔を隔てた状態で保持部を堅持する堅持部を前記下部棚部より上方に突出させて形成し、前記堅持部と側方支持部との間で前記保持部の下部軸心をスライド自在としたから、上部棚部を下部棚部に対して間隔を隔てた状態で保持するとき、堅持部により保持部を堅持することができて、上部棚部を安定して保持することができ、保持部の下部軸心を堅持部と側方支持部との間でスライド自在とすることにより、保持部の下部軸心を移動させる動作を円滑にすることができ、上部棚部を下部棚部に対して間隔を隔てた使用状態から収納状態への移動、または収納状態から使用状態への移動を円滑にできる。
【００４５】
また、請求項３に記載の発明によれば、上部棚部および下部棚部は、前記上部棚部と下部棚部との間に間隔を隔てた状態で、略円形状または略多角形状になるよう形成したから、回転撹拌により傷み易い衣類を上部棚部と下部棚部に巻き付けるようにセットして乾燥するとき、熱風が衣類によりまんべんなく当たり、乾燥むらやしわがない状態で乾燥することができる。
【図面の簡単な説明】
【図１】  本発明の第１の実施例の衣類乾燥具を取り付けた回転ドラム式衣類乾燥機の縦断面図
【図２】  同衣類乾燥具の使用時の斜視図
【図３】  同衣類乾燥具の要部拡大斜視図
【図４】  同衣類乾燥具の収納時の斜視図
【図５】  本発明第２の実施例の衣類乾燥具の使用時の斜視図
【図６】  同衣類乾燥具を収納するときの途中の状態を示す斜視図
【図７】  同衣類乾燥具の収納時の斜視図
【図８】  （ａ）同衣類乾燥具の衣類をセットするときの途中の状態を示す斜視図
（ｂ）同衣類乾燥具の衣類のセット状態を示す斜視図
【図９】  同衣類乾燥具を取り付けた回転ドラム式衣類乾燥機の斜視図
【図１０】  同衣類乾燥具の使用時の状態を示す説明図
【図１１】  同衣類乾燥具の収納時の動きを示す説明図
【図１２】  同衣類乾燥具の収納時の状態を示す説明図
【図１３】  従来の衣類乾燥具を取り付けた回転ドラム式衣類乾燥機の縦断面図
【図１４】  （ａ）同衣類乾燥具の斜視図
（ｂ）同衣類乾燥具にセットする衣類の斜視図
【図１５】  同衣類乾燥具を取り付けた回転ドラム式衣類乾燥機の斜視図
【符号の説明】
２    回転ドラム
７    衣類投入口部
１１  上部棚部
１２  下部棚部
１３  側方支持部
【図１】
0004348816.tif 000002
【図２】
0004348816.tif 000003
【図３】
0004348816.tif 000004
【図４】
0004348816.tif 000005
【図５】
0004348816.tif 000006
【図６】
0004348816.tif 000007
【図７】
0004348816.tif 000008
【図８】
0004348816.tif 000009
【図９】
0004348816.tif 000010
【図１０】
0004348816.tif 000011
【図１１】
0004348816.tif 000012
【図１２】
0004348816.tif 000013
【図１３】
0004348816.tif 000014
【図１４】
0004348816.tif 000015
【図１５】
0004348816.tif 000016